(57)【要約】　　　（修正有）【課題】貯水槽を運転する動力エネルギーに太陽エネルギー等の自然エネルギーを用いて極めて低コストに出来、景観を損ねず、貯水槽の機能も果たせるようにする。【解決手段】建造物１の屋根２にソーラーパネル３を敷設し、リード線４を介しコントローラー９に接続し、塀体としての貯水タンク本体１´，１´を横方向、及び、縦方向に継手１０，１０´により接続連結して一体のブロックとしての大型の建造物１１に作製し、その上部の貯水タンク本体１´の上部にフェンスを建設し、つたやかずらを絡め、各貯水タンク本体１´の全表面に植生を施したセダムシートとし、最下段の貯水タンク１´を透明な養魚槽とし、鯉や金魚等の淡水魚を飼育し、又、通行人が近接した場合には近接スイッチ２３により通行人の観賞や興味をそそるようにする。そして、養魚槽をその外形が動物等の外形になるようにすることにより視認するに、興味がわくようにする。【選択図】　　図１
2004084291.tif 000002
【特許請求の範囲】
【請求項１】
動力源かコントローラーを介して自然エネルギー源に接続されていることを特徴とする貯水槽システム。
【請求項２】
上記自然エネルギー生起装置がソーラーパネルであること特徴とする請求項１記載の貯水槽システム。
【請求項３】
上記自然エネルギー生起装置が風力発電装置であることを特徴とする請求項１記載の貯水槽システム。
【請求項４】
上記自然エネルギー生起装置がバイオマス発電装置であることを特徴とする請求項１記載の貯水槽システム。
【請求項５】
上記貯水槽の少なくとも一基の貯水タンクの外形が動物形状にされていることを特徴とする請求項１記載の貯水槽システム。
【請求項６】
上記貯水タンクの表面の少なくとも一部が表面緑化されていることを特徴とする請求項１〜５記載の貯水槽システム。
【請求項７】
上記貯水タンクが雨水利用にされていることを特徴とする請求項１〜６記載の貯水槽システム。
【請求項８】
上記貯水槽の少なくとも一基の貯水タンクの外形が幾何学的な立体形状にされていることを特徴とする請求項１記載の貯水槽システム。
【請求項９】
上記貯水槽の少なくとも一基の貯水タンクに発光装置，発声装置が配設されていることを特徴とする請求項２〜８いずれか記載の貯水槽システム。
【請求項１０】
上記自然エネルギー生起装置が隣設する建造物、又は、貯水タンクのいずれかの屋上に配設されていることを特徴とする請求項２〜９いずれか記載の貯水槽システム。
【発明の詳細な説明】
【０００１】
【産業上の利用分野】
開示技術は、都市部や都市近郊部に於いて配設される貯水槽のシステムの技術分野に属する。
【０００２】
【従来の技術】
家屋の屋根構造等の面材の構造にあってはセダム等の植生シートを敷設する構造態様が多くなり、始源的な発明をなしたドイツから世界的に広まっており、我が国に於ても近時緑化基準が改正され、全国的にかかる傾向は広がっていくものと思われ、流行の兆しが見られるが、我が国における勾配屋根の薄層緑化等はコンクリート等による押さえ態様とは機構的に異なり、様々な問題がある。
【０００３】
【発明が解決しようとする課題】
それらのシステムの形式としては、概して排水マット型や底面灌水型等があるが、例えば、セダム等植生マットを構造部の表層部に防水シートを介して植生させているが、該植生マットの基になる土層の表層に敷設する土壌や砂利が、台風等の際の豪雨や干天等の激しい日照等により該土層が飛散して、著しいダメージを受けることから、耐久性に乏しい欠点があり、これに対処するに、頻繁なメンテナンスを必要とする難点があり、結果的にコスト高になるという不利点もあった。又、従来の植生マットの施工については技術的に困難であるという難点もあった。
【０００４】
而して、植生の基礎となるセダムシートの降雨による非定時的な流出等によっても、定期的に損傷を受け、常時的に維持し続ける程の表面緑化が図れないというデメリットがあった。
【０００５】
これに対処するに、玉砂利と土を固めて金網状のものを敷設する植生システムが開発されてはいるが、機能的に充分とは言えない不具合があり、且つ、従来の植生マットは上述の通り施工が困難であった。
【０００６】
このようなことは、近時群説される貯水槽にあっても同様である。
【０００７】
尚、上記の植生マットに混在させる土地改良剤，保水剤，肥料，土壌菌，及び炭素化合物からなる粒子の、これらの層の体積当りの含有量は最上層の含有量に対し５０％以下が好ましく、２０％以下がさらに好ましく、１０％以下がより好ましい。
【０００８】
又、植生マットの好ましい条件としてはピートモス，バーライト，バーミキュライト，珪藻土組成物，バーク，パーライト，ゼオライト，ロックウール，スポンジ，ヤシ殻，クリプトモス，日高砂等の軽石類，古紙成分，植物室天然有機物（ピートモス鋸屑，籾殻，バガス，間伐採），水苔粉末，ヤシ髄粉末，パルプ繊維，種子リンター，層状粘土鉱物，多孔室鉱物，沸石類（ゼオライト），モンモリロナイト系の粘土系鉱物，多孔室鉱物（シリカ，アルミナ，ウィスカー等の結晶性化合物，珪藻土のような堆積物）のもので５ｍｍ以下のもの，ポリエチレンオキサイド，ポリウレタン，酢酸ビニル，アクリル樹脂やこれらの共重合体，特開平１０−１９１７７７，１２８１０８１，９４７２９号公報等に記載のポリマー，コーヒー滓，樹脂コーティング肥料，水難溶性肥料，粒状の有機肥料（万里（商品名）），菌根菌類，窒素固定細菌，ＶＡ菌根菌，アゾ菌類，アゾスピルラム菌（Ｄｒ．キンコン（商品名）），フランキア菌，マメ科根粒菌，ブリオ種，セダム類，ハーブ，蘚苔類，挿し木，球根，地下茎，葉挿し，木炭，活性炭，石，れき，コンクリート等であり、繊維粗材は綿，麻，セルロース，ジュート、毛，絹等の天然繊維，カーボン繊維，アセテート，レーヨン等の再生繊維，ポリエステル，ポリアミド（ナイロン），アクリル等の合成繊維である。
【０００９】
そして、該合成繊維としては綿，麻，セルロース，ジュート，毛，絹等の天然繊維，合成繊維のカーボン繊維，アセテート，レーヨン等の再生繊維がより好ましく、綿，麻，セルロース，ジュート，レーヨン，アセテートがさらに好ましく、綿，麻，セルロース，ジュートが特に好ましく、剛性の強い層にはジュートを含有するのが更に好ましいものである。
【００１０】
而して、この出願の発明の植生マット中に含有される好ましい土壌改良剤は上記の如くピートモス，バーライト，バーミキュライト，珪藻土組成物，バーク，パーライト，ゼオライト，ロックウール，スポンジ，ヤシ殻，クリプトモス，日高砂等の軽石類であるが，その添加量は植生マットの単位重量に対し０．１〜１０％が好ましく、０．５〜５％がより好ましい。
【００１１】
又、この出願の発明の植生マット中に含有する好ましい保水剤は上記の如くケイ酸化合物古紙成分，植物質天然有機物（ピートモス鋸屑，籾殻，バガス，間伐採），水苔粉末，ヤシ髄粉末，パルプ繊維，種子リンター，層状粘土鉱物，多孔質鉱物，沸石類（ゼオライト），モンモリロナイト系の粘土系鉱物，多孔質鉱物（シリカ，アルミナ，ウィスカー等の結晶性化合物，珪藻土のような堆積物）でその粒径は５ｍｍ以下であることが好ましく，ポリエチレンオキサイド，ポリウレタン，酢酸ビニル，アクリル樹脂やこれらの共重合体，特開平１０−１９１７７７，１２８１０８１，９４７２９号公報記載のポリマーＢであり、その粒子サイズは０．０００１〜１５ｍｍが好ましく、０．００１〜３ｍｍがより好ましい。その添加量は植生マットの重量に対し０．１〜１０％が最も好ましく、０．５〜５％がより好ましい。
【００１２】
更に、この出願の発明の好ましい肥料も上記の如くコーヒー滓，樹脂コーティング肥料，水難溶性肥料，粒状の有機肥料（万里（商品名））であるが、その添加量は植生マットの単位重量に対し０．１〜１０％が好ましく、０．５〜５％がより好ましい。
【００１３】
更に、この出願の発明の植生マット中に含有する好ましい土壌菌も上記の如く菌根菌類，窒素固定細菌，ＶＡ菌根菌，アゾ菌類，アゾスピルラム菌（Ｄｒ．キンコン（商品名）），フランキア菌，マメ科根粒菌，ブリオ種であるが、その添加量は植生マットの重量に対し０．１〜１０％が好ましく、０．５〜５％がより好ましい。
【００１４】
そして、この出願の発明の植生マット中に含有する好ましい炭素化合物からなる粒子も上記した如く木炭，活性炭，黒鉛，非黒鉛炭素材料であり、その添加量は植生マットの単位重量に対し０．１〜１０％が好ましく、０．５〜５％がより好ましく、そして、その粒子サイズは０．０１〜５０μｍが好ましく、０．１〜１５μｍがより好ましい。又、比表面積は０．１〜３００ｍ２　／ｇが好ましく、１〜３０ｍ２　／ｇがより好ましい。そして、この出願の発明に用いる植物はセダム類，ハーブ類，蘚苔類が好ましいが、セダム類が特に好ましい。
【００１５】
植物は２種類以上混在させるのが好ましいものであり、３種類がより好ましく、５種類以上が特に好ましい。混在させる場合は、高温に強いものと低温に強いもの，乾燥に強いものと高温に強いもの，セダム類一種でも複数の品種を組み合わせるのが好ましい。好ましい組み合わせ例としてはセダム類とハーブ類と蘚苔類があるが、特に好ましい組み合わせは（出願人のドコーの現在ベストのものを記載）セダムアルバム，ナガサマンネングサ，セダムスプリューム，タイトゴメ，メキシコマンネングサ，セダム類だけの組み合わせである。
【００１６】
この出願の発明で用いる植生マットの下部に設ける排水シートは繊維層に限らず、合成樹脂製のコイル状のものでも良いものである。
【００１７】
そして、この出願の発明で使用する押え体として用いる重量物は砂利，金属等が好ましく、その比重は１．３以上、より好ましくは１．５以上である。
【００１８】
この出願の発明で用いる植生マットの下敷きに接する防根層は不織布が好ましく、透水性の不織布が特に好ましい。その厚みは０．１〜１０ｍｍが好ましく、０．１〜１０ｍｍが特に好ましい。
【００１９】
この出願の発明の植生マットは温室で１〜６ケ月栽培することが好ましい。茎，根と葉を散在させてから該植生マットの栽培を終了するまで４ケ月以内であることが好ましく、３ケ月以内がより好ましく、２ケ月以内が特に好ましい。このため、植物により異なる条件で実質的な日照時間を調節することが好ましい。６ケ月以上の生育では病虫害にやられやすく、好ましくない。
【００２０】
又、貯水タンク本体の基材が５度以上の角度で傾斜している態様の場合は、排水層シートを含まない緑化基材を用いることが好ましい。そして、この場合は、緑化基材が２層以上が好ましく、４層以上がさらに好ましいが、６層以上が特に好ましい。又、この場合は、水の供給システムがあるのが好ましい。この水の供給は３〜１００リットル／日・ｍ２　が好ましく、３〜５０リットル／日・ｍ２　が更に好ましく、３〜１０リットル／日・ｍ２　が特に好ましい。この供給量が多過ぎると、植生マットに雑草が生え、又、病虫害にかかりやすく、また、少な過ぎると植物が枯れて好ましくない。
【００２１】
該種貯水タンク本体の基体の薄槽緑化以外に建造物の表面全体に緑化する技術がさまざまな形で応用され、例えば、都市部や都市部近郊部に於いて、雨水や中水等の貯水に対する貯水槽が多数建設されているようになってきているが、該種貯水槽等の建造物も家屋等の建造物と同様に一般に屋外に於いて建設されるために、その景観が障害となり、建設用敷地等も入手困難となり、コスト的に見合わないような問題が多々見られてはいる。
【００２２】
したがって、これらの貯水システムにあっては現実に実用化されるには様々の問題がある。
【００２３】
この出願の発明の目的は上述従来技術に基づく貯水タンク本体の一基体上に薄層緑化の植生を確実に図ると共に、土壌の流出や、水の蒸散が少なくて済み、施工が容易で、耐久性が良く、設計通りの薄層緑化が面材に対して確実に維持出来るようにするに、植生マットの施工を簡便にするようにして建築産業における緑化技術利用分野に益する優れた植生マットを用いた緑化貯水層を提供せんとするものである。
【００２４】
【発明が解決しようとする手段】
上述目的に沿い先述特許請求の範囲を要旨とするこの発明の構成は、前述課題を解決するために、動力源にコントローラーを介して自然エネルギー源に接続されているようにすることを基幹とし、而して、上記自然エネルギー生起装置がソーラーパネルであるようにし、又、上記自然エネルギー生起装置が風力発電装置であるようにし、加えて、上記自然エネルギー生起装置がバイオマス発電装置であるようにし、更に又、上記貯水槽の少なくとも一基の貯水タンクの外形が動物形状にされているようにし、加えて又、上記貯水タンクの表面の少なくとも一部が表面緑化されているようにし、又、上記貯水タンクが雨水利用にされているようにし、更に、上記貯水槽の少なくとも一基の貯水タンクの外形が幾何学的な立体形状にされているようにし、そして又、上記貯水槽の少なくとも一基の貯水タンクには発光装置，発声装置が配設されているようにし、又、上記自然エネルギー生起装置が隣設する建造物や貯水タンクのいずれかの屋上に配設されているようにもした技術的手段を講じたものである。
【００２５】
【作用】
都市部や都市近郊部に配設セットする貯水槽において、貯水槽を形成する少なくとも一基の貯水タンク本体が例えば、動物の外形を形成されるようにし、その目玉の発光装置として、ＬＣＤ装置や発声装置が近接装置を介してのコントローラーによって自然エネルギーによる動作が出来るようにし、又、貯水タンクの貯水が灌水自在であるようにし、又、そのヘッダーに設けたポンプや、或いは、該ヘッダーから分岐して接続される洗車ノズルを、スプリンクラー等に対するエネルギーが、隣設する集合ビルや家屋等の建造物の屋根に敷設されたソーラーパネルや風力発電装置やバイオマス発電装置の自然エネルギーによる発電装置によりコントローラーを介して行われるようにし、最下部の貯水タンクは躯体をしてガラスやプラスチックの等の透明な材質から形成されて金魚等を飼育するような養魚槽とされ、その外形が動物や人間等の立体的な構造物やその他の動物等の外形とされて、その見栄えを良くした貯水タンク本体に人物が近接すると、近接スイッチを介し、コントローラーを介してＬＣＤ装置等の発光装置やスピーカー等の発声装置が動作して通行人の注意を引き付けるようにし、又、貯水の水位の変化する部位に対して近接時警告を発することが出来るようにし、敷地等の獲得が容易であり、外観的に景観が良好で建設費がかからず、イニシャルコストもメンテナンスコストもランニングコストも少なくて済み、ガードレールや中央分離帯の塀体として機能し、外観的にも見栄え良く景観が損なわれないようにしたものである。
【００２６】
【発明の実施しようとする形態】
次にこの出願の発明の実施しようとする形態を実施例の態様として図面を参照して説明すれば以下の通りである。
【００２７】
図１に示す形態において、１は都市部、或いは、都市近郊部に建設される建造物としての邸宅であり、その上部の屋根２の表面には、自然エネルギー生起装置としての所定数複数のソーラーパネル３が敷き詰められている。
【００２８】
そして、該ソーラーパネル３からは邸宅１の側面に立設して設けられた門柱５に沿ってリード線４が延設されており、所定のコントローラー９に接続されている。
【００２９】
而して、該門柱５に隣設して所定数の貯水タンク本体１´　が横方向、及び、縦方向に各フレームに設けた継手１０、或いは、図２に示す様な通常の大工工事で用いられる実とほぞとの凹凸嵌合関係を介した接手１０´　を介して結合接続されて複数段接続されて、所定のブロック状の所定サイズの貯水槽１１が形成されている。
【００３０】
最上段の貯水タンク本体１´　の更に上部には図３に詳示する様にフェンス１２が立設されており、該フェンス１２の各々には、つたやかずら１３が絡められて一種の上面緑化を行っている。
【００３１】
尚、該フェンス１２の間には補強体としての支柱１２´が予め植立されている。
【００３２】
又、各貯水タンク本体１´　の全表面にはセダムシート等の植生マット７が一体的に添設されており、該セダムシート７には、植物の種子や苗が所定に植生されているものである。
【００３３】
そして、該植生マット７上に下側に所定の防根シートを介して植生を有するマットを敷設し、更にその上層にマジックシートを敷設する。
【００３４】
尚、該マジックシートは水溶性高分子の接着剤とレーヨンの混合体、水溶性高分子のものであり、降雨の度に接着剤が溶解してセダムシートの植生マット７´の表面凹凸に放って絡め保形性を維持するようにされている。
【００３５】
上述構成において、屋上や屋根や構造物１上に建造した植生を有する植生マット７´　が敷設されていることにより、雨風によって砂や砂利が飛散したり流出したりすることは防がれ、該貯水槽１１に於て緑化が設計通りに出来、又、経時的に当該緑化が充分に維持されるものである。
【００３６】
尚、植生マット７´　やポケットプランター７´´中に張り出した根は、当該植生マット７´　やポケットプランター７´´と貯水タンク本体１´　の間に図示しない排水シートを介して敷設した防根シートを間にして貯水槽タンク本体１´に絡み付き、根が根ぐされを生ずるようなことはなく、又、暴風雨等の風圧により押圧力が印加された場合には植生マット７´　上に押え体をセットさせることにより充分な強度，剛性を有して、まくれや飛散や流出を防止するようにすることも可能である。
【００３７】
又、最上層の植生マット７の厚さは２〜３００ｍｍが好ましく、２〜１００ｍｍがより好ましく、２〜６０ｍｍがさらに好ましく、２〜３０ｍｍが特に好ましいものである。
【００３８】
そして、その場合、該植生マット７は２層以上から成ることが好ましく、最上層以外のいずれかの層に含有する土壌改良剤，保水剤，肥料，土壌菌，及び炭素化合物からなる粒子の体積あたりの量が最上層の量より少ないことが好ましい。
【００３９】
而して、最下段の貯水タンク本体１´´にあっては図４に示す様、に鯉や金魚等の淡水魚等を飼育する養魚槽１´´されており、その躯体はガラスやプラスチック等の透明製１´のものからなり、養魚槽内の鯉や金魚等の淡水魚１８等を観賞することが出来るようにされている。
【００４０】
又、該透明な貯水タンクの養魚槽１´´においては、活性炭やニューセラミック等の浄化剤２２が所定量混入されて攪拌モーター１６´　により攪拌されて、カビや藻の発生を防止することが出来るようにされている。
【００４１】
又、当該図３に示す様に、各貯水タンク本体１´　の側面には開閉扉１７が設けられて、同じく各貯水タンク本体１´　の表面と同じくセダムシート等の植生マット７が添設されて緑化が図られているものである。
【００４２】
又、図１に示す様に、前記フェンス１２の上部に設けられているスプリンクラー２１やコントローラー９に設けられた接続された灌水パイプ２０やヘッダー１９から延設される洗車ノズル１６等はソーラーパネル３からリード線４を介して得られる自然エネルギーとしての太陽エネルギーによりコントローラー９を介して適宜タイミングで動作されるようにされている。
【００４３】
又、該コントローラー９には図３に示す様に、周公知の近接スイッチ２３が設けられて最下段の貯水タンク本体１´　の外形が動物の形状にされている目がＬＣＤ装置等の発光装置２４にされ、又、その近傍に設けられたスピーカーの発声装置２５がコントローラー９に電気的に接続されており、当該近接スイッチ２３に対して人物が近接すると、発光装置２４や該発声装置２５が動作して、歩行者の注意を喚起して引き付けるようにされている。
【００４４】
又、当該観賞に充分耐得るような清澄水にするべく、浄化剤２２の混入と共に近辺の池や河川湖沼から貯水１５ポンプ６´　を介して随時循環交換させるようにする。
【００４５】
尚、１０´´は上位に設けられた雨樋であり、灌水パイプ８に接続されて下延している。
【００４６】
又、ヘッダー１９から下方に延在する吸込ポンプ６´　により他の河川湖沼等の貯水１５を交換裡に組み込んでも良いものである。
【００４７】
尚、この出願の発明の実施形態は上述実施形態に限るものではなく、自然エネルギー生起装置は風力発電装置やバイオマス発電装置等が採用されることは勿論のことである。
【００４８】
又コントローラーを介して、バッテリーや風力利用施設等が接続され得ることは勿論のことである。
【００４９】
【発明の効果】
以上、この出願の発明によれば、基本的に都市部や都市近郊部に配設セットされて建設される貯水槽が建造されるに、その敷地の獲得が容易であり、景観を損なわせることもこともなく、建造費等のイニシャルコストも高くならずに、又、ランニングコストやメンテナンスコストもソーラーパネル等による自然エネルギーを介して動力が得られるために、安くつくという優れた効果が奏される。
【００５０】
貯水槽は貯水を雨水降水を介して集水して貯水することが出来るために、コスト的にもかからなくて済むという利点がある。
【００５１】
そして、貯水槽は少なくとも一部が表面緑化されているために見栄えが良く景観を損なわないという効果がある。
【００５２】
又、貯水槽はその外形が動物等の形状にされていることにより、通行する人間が著しく興味を覚えて、例えば、貯水タンクが養魚槽の場合には、鯉や金魚等の淡水魚に対し、興味をそそられて充分に観賞することが出来るという利点もある。
【００５３】
又、そのように当該養魚槽に通行人が近接すると発光装置２４や発声装置２５が太陽エネルギーによって動作してコスト的に安い状態で大きな興味をひくことが出来るという優れた効果が奏される。
【００５４】
又、ソーラーパネル３等の自然エネルギーの集中により運転されるために、コスト的に安くすむというメリットの他にランニングコストが著しく低コストですむという利点がある。
【図面の簡単な説明】
【図１】この出願の発明のシステムの概略側面図である。
【図２】接手の概略構造図である。
【図３】フェンスの拡大側面図である。
【図４】この出願の発明のシステムの詳細拡大側面図である。
【符号の説明】
３　　　動力源（ソーラーパネル）
９　　　コントローラー
２４　　発光装置
２５　　発声装置
１　　　建造物
２　　　屋根
【図１】
2004084291.tif 000003
【図２】
2004084291.tif 000004
【図３】
2004084291.tif 000005
【図４】
2004084291.tif 000006
【手続補正書】
【提出日】平成14年9月5日(2002.9.5)
【手続補正１】
【補正対象書類名】図面
【補正対象項目名】全図
【補正方法】変更
【補正の内容】
【図１】
2004084291.tif 000007
【図２】
2004084291.tif 000008
【図３】
2004084291.tif 000009
【図４】
2004084291.tif 000010